(57)【要約】【課題】構造が簡素化で、製造コストと手数を減少できるとともに、優れる効果性を提供できるようにする。【解決手段】アナログ／デジタル信号コンバータ（１）と、ＣＰＵ（２）と、デジタル信号プロセッサー（３）と、ロム（５）と、デジタル／アナログ信号コンバータ（４）と、フィルター／バッファー（６）と、パワーアンプ（７）と、スピーカー（８）と音声ボックス（９）とからなる。【選択図】図１。
2006050338.tif 000002
【特許請求の範囲】
【請求項１】
音声周波数アナログ信号をデジタル・シリアル信号に転換してからＣＰＵへ送信するアナログ／デジタル信号コンバータと、
コントロール・センターとなりつつ、受け取ったデジタル・シリアル信号をパラレル信号に配列してから、信号をデジタル信号プロセッサーへ送信して運算を実行するようにしたＣＰＵと、
デジタル信号プロセッサーと接続し、主にスピーカーと音声ボックスの元来の所有する周波数レスポンス曲線パラメータを記憶するロムと、
前記のＣＰＵとロムからの信号を受け取り、且つ受け取った信号に基づいて運算をし、且つ運算結果をＣＰＵへフィード・バックしてデジタル・シリアル信号へ転換し、それから前記のデジタル・シリアル信号をデジタル／アナログ信号コンバータへ送信するようにした、デジタル信号プロセッサーと、
ＣＰＵからの運算終了信号を受け取り、且つ受け取った信号をアナログ信号に転換してからフィルターとバッファーへ送信してろ過及び緩衝を実行後に、パワーアンプへ送信して拡大してから、拡大された信号をスピーカーと音声ボックスへ送信し、スピーカーと音声ボックスに平たい周波数のレスポンス曲線を出力可能に形成させるようにした、デジタル／アナログ信号コンバータと、
を少なくとも有することを特徴とする、
デジタル音声周波数良質化装置。
【請求項２】
前記のデジタル信号プロセッサーの運算し得た信号パラメータとして、元来の所有するスピーカーと音声ボックスの周波数のレスポンス曲線パラメータのマイナス・ナンバーを使用し、スピーカーと音声ボックスがそれらの信号を受信してから平たい周波数レスポンス曲線出力できるようにしたことを特徴とする、
請求項１に記載のデジタル音声周波数良質化装置。
【請求項３】
前記のＣＰＵがデジタル信号プロセッサーの運算結果に従ってデジタル／アナログ信号コンバータの出力の最大のレベル数を設定することによって、パワーアンプに過大な信号が入力される場合にカッティング・ディストーションを生成させないように確保するようにしたことを特徴とする、
請求項１に記載のデジタル音声周波数良質化装置。
【発明の詳細な説明】
【技術分野】
【０００１】
本発明は、デジタル音声周波数良質化装置に係わり、特に運算方式を利用して平たい周波数レスポンス曲線を出力可能に処理するデジタル音声周波数良質化装置に関するものである。
【背景技術】
【０００２】
従来では、スピーカー本体の周波数レスポンス曲線の不好適なことを改善するために、また、音声ボックスによって二次周波数レスポンス曲線の不好適なことを生じるようになることを防止するために、一般的にはその電気回路中に補償電気回路を加入することによって、スピーカーと音声ボックスの周波数のレスポンス曲線に対し調整を実行する。また、従来の補償電気回路の構成は下記のようである。
【０００３】
その一、従来の補償電気回路には、複数の受動素子を使用し、例えば、多くのインダクタンスや、コンデンサーや、抵抗などからなるロー・パス・フィルターや、ハイ・パス・フィルターや、バンド・パス・フィルターなどの複数種の形式のフィルター同士を利用し、直列的に接続することや、並列的に接続することなどによって、減衰または増加などの方式によって周波数レスポンスの不好適な課題を解消するものである。しかしながら、前記の方式による場合では、周波数レスポンスの不好適な課題を解消できるが、それは、複数のインダクタンスやコンデンサーや抵抗などを配列組み合わせるので、ある場合では、その周波数曲線においてはさらに多くの周波数点が補正を要する場合に、その困難さが相対的に向上されてしまい、且つ所要する素子の点数も相対的に増加してしまうようになる。そのため、体積が増大される場合に、そのコストも向上され、且つこのような方式は、普段では、単に一部の修正しか実行できなく、全面の補正を実行することが不可能である。
【０００４】
その二、前記の従来の補償電気回路が使用される素子の体積が大きくなるのを改善するために、全体の電気回路の体積が相対的に増大する課題を解消するために、アンプを使用することによって、フィルターを取り替える方法が提案され、それは、前記のアンプ同士においては、アンプの特性を利用して主動アンプとしてのハイ・パス・アンプとロー・パス・アンプとバンド・パス・アンプなどの運用することによって、その倍率を拡大し、且つ適当に“＋、−”の操作を実行し、且つ複数セットを直列的に接続し、または並列的に接続して所要する周波数曲線を取得する。それにしても、アンプ同士電気回路に要する素子の体積がフィルターを使用する場合より小さくなっているが、それらの使用される素子の個数がさらに多くなり、調整されたい周波数点が多くなる場合に、所要するレベル数が多くなり、こうすると、体積とコストを増加するほかに、容易にディストーションを生じるようになり、その設計の困難さも相対的に向上されてしまう。
【０００５】
また、フィルターまたはアンプによって補償電気回路を創作する場合に、それらは同じような一つの欠点を有し、つまり、スピーカー本体が改変後に、その周波数レスポンス曲線のことも必ず変わり、そのため、スピーカーと音声ボックスには変更を実施される場合に、すべての電気回路を改めて設定する必要がある。もし、スピーカーまたは音声ボックスが変更を実行できない場合に、その周波数レスポンス曲線が調整不能になり、これも設計における重大な課題である。
【０００６】
そのため、前記の従来物には依然として多くの課題を有し、良好な設計ではなく、至極改善される必要がある。
【０００７】
本発明の発明者は、前記の従来の補償電気回路の生成されるそれぞれの項の課題に鑑みて、力を注いで改良及び創作を実行し、複数年間の苦労をして研究開発を進めた結果、とうとう本発明のデジタル音声周波数良質化装置を提出するに至った。
【発明の開示】
【発明が解決しようとする課題】
【０００８】
本発明は、随時に取得したスピーカーと音声ボックスの周波数レスポンス曲線をコンピュータにおいて先に適当に模擬調整を実行してから、その曲線情報を記憶保存することによって優れる周波数レスポンス曲線を有させるようにするデジタル音声周波数良質化装置を提供することをその主要な解決しようとする課題とする。
【０００９】
また、本発明は、その製造過程中において、単にスピーカーと音声ボックスとの周波数レスポンス曲線を記憶しているロム（Ｒｅａｄ  ｏｎｌｙ  ｍｅｍｏｒｙ，ＲＯＭ）を電気回路基板に挿着すると、随時にその設計を変更できる目的を図れる、デジタル音声周波数良質化装置を提供することをその第二の解決しようとする課題とする。
【００１０】
また、本発明は、ＣＰＵを介してＤＳＰ運算結果をシリアル信号に転換してから、デジタル／アナログ信号コンバータへ送信してアナログ信号に転換することによってＤＳＰが複雑な運算を実行する場合の負担を減少できるようにし、音声の質の目的を維持することができるようにした、デジタル音声周波数良質化装置を提供することをその第三の解決しようとする課題とする。
【００１１】
また、本発明は、先にデジタル／アナログ信号コンバータの出力最大レベルを設定しておき、パワーアンプに過大な信号が入力される場合に、カッティング・ディストーションを生成することを防止し、従来の方式のように、複数の素子と複合の電気回路を使用することによって圧縮回路を創作してカッティング・ディストーションを改善できるようにしたデジタル音声周波数良質化装置を提供することをその第四の解決しようとする課題とする。
【課題を解決するための手段】
【００１２】
前記の目的を図れるデジタル音声周波数良質化装置には、アナログ／デジタル信号コンバータと、ＣＰＵと、デジタル信号プロセッサー（ＤＳＰ）と、ロムと、デジタル／アナログ信号コンバータと、フィルター／バッファーと、パワーアンプと、スピーカーと音声ボックスとを有し、その中では、前記のロムがスピーカーと音声ボックスの周波数レスポンス曲線を記憶保存でき、また、前記のアナログ／デジタル信号コンバータが音声周波数信号を受け取ってから、且つその音声信号をデジタル信号に転換してから、ＣＰＵへ送信し、そのＣＰＵが受信した信号をパラレル信号に転換してから、信号をＤＳＰへ送信し、ロム内に記憶される周波数曲線と運算をし、それからその運算結果をＣＰＵへフィードバックしてシリアル信号に転換し、それから、デジタル／アナログ信号コンバータへ送信してアナログ信号に転換してから、フィルターとバッファーとを経由させ、ろ過を実行し、パワーアンプによって拡大されてから、スピーカーと音声ボックスへ出力することによって、平たい周波数レスポンス曲線を出力可能にする。
【００１３】
本発明の優れる実施の形態を挙げるとともに、添付図面を参照しながら解説することによって本発明の技術内容とその目的とその効果性について詳細に説明する。
【発明を実施するための最良の形態】
【００１４】
図１に示すように、本発明によるデジタル音声周波数良質化装置には、主に、デジタル／アナログ信号コンバータ１を有し、それは、ステレオからの音声周波数アナログ信号１０を受信してから、音声周波数アナログ信号１０をデジタル・シリアル信号１１に転換し、それからＣＰＵ２に送信する。
【００１５】
前記のＣＰＵ２が、コントロール・センターとなり、それはアナログ／デジタル信号コンバータ１からのデジタル・シリアル信号１１を受信するとともに、そのデジタル・シリアル信号１１をパラレル信号２１に配列してから、信号２１をデジタル信号プロセッサー３（ＤＳＰ）へ送信し、運算を実行してから、運算終了後のパラメータ信号をＣＰＵ２へフィード・バックしてデジタル・シリアル信号２２に転換されると、デジタル／アナログ信号コンバータ４へ送信する。
【００１６】
また、ロム（例えばＥＥＰＲＯＭ）５を前記のデジタル信号プロセッサー４と接続し、スピーカー８と音声ボックス９の元来の所有する周波数レスポンス曲線パラメータを記憶保存する用途に用いられる。
【００１７】
また、前記のデジタル信号プロセッサー３（ＤＳＰ）が前記のＣＰＵ２と前記のロム５からの信号を受信し、且つ受信した信号に基づいて運算をし、スピーカーの周波数レスポンス曲線を運算パラメータとするものであり、例えば、Ａ信号パラメータ値＋Ｂ信号パラメータ値＝Ｃ信号パラメータ値のように、Ａ信号がスピーカー８と音声ボックス９の周波数レスポンス曲線を代表し、また、Ｂ信号がＡ信号のマイナス・ナンバーとなり、また、Ｃ信号が平たい周波数レスポンス曲線となり、そのため、スピーカー８と音声ボックス９とに平たい曲線を有するＣ信号を出力させるために、前記のデジタル信号プロセッサー３が運算時に、先にロム５に記憶されるＡ信号を取得し、且つそのＡ信号のマイナス・ナンバーのＢ信号のパラメータを取得し、且つ前記のマイナス・ナンバーＢ信号パラメータをＣＰＵ２へ送信し、デジタル・シリアル信号２２に転換してから、また、デジタル／アナログ信号コンバータ４へ送信し、このような送受信方式によると、デジタル信号プロセッサー３が複雑な運算を実行する際の負担を軽減でき、送受信の速度を降下させることを避けられ、最後の音声の質が相対的に降下されてしまうようになることを有効に防止できる効果を有する。
【００１８】
また、前記のデジタル／アナログ信号コンバータ４が前記のＣＰＵ２からのマイナス・ナンバーのＢ信号を受信すると、その受信した信号をアナログ信号４１に転換してから、フィルター／バッファー６へ送信し、ろ過と緩衝を実施してから、パワーアンプ７へ送信してそのパワーを拡大し、最後に、その拡大されるマイナス・ナンバーのＢ信号をスピーカー８と音声ボックス９へ送信し、スピーカー８と音声ボックス９の周波数レスポンス曲線のＡ信号パラメータにマイナス・ナンバーのＢ信号のパラメータを加えると、Ｃ信号を取得でき、そのＣ信号が“０”に等しくなるので、スピーカー８と音声ボックス９とに、平たい周波数レスポンス曲線を出力できるように処理できる。他に、ＣＰＵ２がデジタル信号プロセッサー３の運算結果に従ってデジタル／アナログ信号コンバータ４の出力最大レベルを設定でき、そのため、パワーアンプ７に、過大な信号が入力される場合に、カッティング・ディストーションを生成することを防止できる。
【００１９】
他に、前記のアナログ／デジタル信号コンバータ４がＣＰＵ２を介して取得したステレオ音声周波数信号情報が前記のデジタル信号プロセッサー３によってそのロー・パス・フィルターとハイ・パス・フィルターの左右両サウンド・チャネル同士を相互に加算してから２によって除算し、また、ロー・パス・フィルターを利用し、前記の信号と他のスピーカーのパラメータと運算を実行してから、他のデジタル／アナログ信号コンバータ４を経由させて他のサウンド・チャネル（ヘビー・ロー・ボイス、Ｈｅａｖｙ  ｌｏｗ  ｖｏｉｃｅ）の良好な曲線の出力を取得できる。
【００２０】
また、スピーカー８と音声ボックス９の元来の所有する周波数レスポンス曲線パラメータをロム５または他の関係のある素子に保存し、スピーカー８と音声ボックス９の周波数レスポンス曲線が変わる場合に、その変わる周波数レスポンス曲線パラメータを随時に前記のロム５または他の関係のある素子に記憶保存できるので、従来の補償電気回路の欠点を改善できる。
【産業上の利用可能性】
【００２１】
本発明の提供するデジタル音声周波数良質化装置と他の従来技術と相互に比較する場合に、さらに下記のような優れる点を有する：
（１）本発明は、随時に取得したスピーカーと音声ボックスの周波数レスポンス曲線をコンピュータにおいて先に適当に模擬調整をし、それからその曲線情報を記憶保存し、最も優れる周波数レスポンス曲線を取得できる。
（２）本発明は、その製造過程中においては、単にスピーカーと音声ボックス周波数レスポンス曲線の記憶してあるロムを電気回路基板に挿着すれば、随時に設計を変更する目的を図れる。
（３）本発明は、ＣＰＵを介してＤＳＰの運算結果をシリアル信号に転換してから、デジタル／アナログ信号コンバータへ送信し、アナログ信号に転換し、ＤＳＰが複雑な運算を実行する場合の所要する負担を大幅に減少できるので、音声品質を保持する目的を図れる。
（４）本発明は、先にデジタル／アナログ信号コンバータの出力最大レベルを設定しておいたので、パワーアンプに、過大な信号が入力される場合に、カッティング・ディストーションを生成することを防止でき、従来の方式のように、複数の素子と複雑な回路を使用して圧縮回路を作成し、そのカッティング・ディストーションをなくす必要はない。
【００２２】
前記に説明したのは、単に本発明のある実施可能な実施の形態を具体的に説明するものに過ぎなく、本発明の主張範囲を狭義的に制限するものではなく、本発明の技術精神に基づいて実施されるすべての他の相同の効果を有する改造や変更や一部転用などのものがすべて本発明の主張範囲内に納入されるべきことが言うまでもないことである。
【００２３】
前記に説明した通りに、本発明は、技術思想が新たな創作を有しつつ、従来物より前記の複数項の効果を増進できるので、既に新規性と進歩性と産業上の利用性を有する特許の要件に該当するので、法に従って出願を提起するが、ご査察の上、早期に公開されるよう宜しくお願い申し上げます。
【図面の簡単な説明】
【００２４】
【図１】本発明によるデジタル音声周波数良質化装置を示すブロック図である。
【符号の説明】
【００２５】
１        アナログ／デジタル信号コンバータ
２        ＣＰＵ
３        デジタル信号プロセッサー
４        デジタル／アナログ信号コンバータ
５        ロム
６        フィルター／バッファー
７        パワー・アンプ
８        スピーカー
９        音声ボックス
１０      音声周波数アナログ信号
１１      デジタル・シリアル信号
２１      パラレル信号
２２      デジタル・シリアル信号
４１      アナログ信号
【図１】
2006050338.tif 000003